(57)【特許請求の範囲】
【請求項１】
指向性のある光源を有する照明装置において、
前記光源が実装された複数の基板と、
前記複数の基板を収容する直管の保護筒と、
前記保護筒の長手方向に沿って該保護筒の内部に設けられ、前記複数の基板が回動可能に該複数の基板の夫々が有する一辺部を保持する回動軸と、
前記回動軸を中心に前記基板を回動して前記複数の基板のなす角度を変更することにより、前記光源の指向を制御して照射領域の調整を行い得る調整部とを備えてなることを特徴とする照明装置。
【請求項２】
前記保護筒の長手方向の端部に口金を備え、
前記調整部は、前記基板の前記口金側の端部に設けられたレバーを有し、
前記レバーは、前記口金の外周面の周方向に沿って設けられた切欠部を介して突出してあり、前記切欠部に案内されて回動することを特徴とする請求項１に記載の照明装置。
【発明の詳細な説明】
【技術分野】
【０００１】
本発明は、発光ダイオード（以下、ＬＥＤと言う）、ＥＬ（ｅｌｅｃｔｒｏｌｕｍｉｎｅｓｃｅｎｃｅ）等の光源を備えた照明装置に関する。
【背景技術】
【０００２】
一般的に照明装置の光源としては、白熱電球、蛍光ランプ等が広く知られている。一方、小型、省電力というＬＥＤの特徴を生かし、照明の光源としてのＬＥＤの使用が急増している。
【０００３】
ＬＥＤの照明への適用の一例としては、ＬＥＤを従来の白熱電球のいわゆるグローブ内又は蛍光ランプの管内に備えることによって、既存の白熱電球又は蛍光ランプの外見を維持させつつ、既存の電球灯具又は蛍光灯具の活用を可能としたいわゆる電球形ＬＥＤランプ又は直管型ＬＥＤランプが挙げられる。
【０００４】
例えば、特許文献１では、一面に複数の白色ＬＥＤが配列された支持板を透明な円筒パイプの中に設け、前記支持板の他面に前記白色ＬＥＤを点灯させるためのＡＣ／ＤＣ変換器、電圧制御部等の電源回路を設けた蛍光灯型ＬＥＤ照明装置が開示されている。
【特許文献１】特開２００１−３５１４０２号公報
【発明の開示】
【発明が解決しようとする課題】
【０００５】
しかし、特許文献１に記載されているような従来のＬＥＤ照明装置は、一旦、壁、天井等の所定位置に固定して使用されると、照射領域を、拡張、縮小、変更する等の調整を行うことが出来ないといった問題があった。
【０００６】
特に、ＬＥＤといった指向性の強い光源を採用した照明装置においては、光源の指向性により照射範囲が狭く、照明装置の使用形態又は設置場所によっては、照射領域を拡張、縮小、変更する等の調整を行わなければ十分な照度が得られないという問題があった。
【０００７】
本発明は斯かる事情に鑑みてなされたものであり、その目的とするところは、照射領域を拡張、縮小、変更する等の調整を容易に行うことができる照明装置を提供することにある。
【課題を解決するための手段】
【０００８】
本発明に係る照明装置は、ＬＥＤ、ＥＬ等を光源とする照明装置において、該光源の照射領域を拡張、縮小、変更する等の調整を適宜行い得る調整部を備えてなることを特徴とする。
【０００９】
本発明にあっては、調整部を操作することにより、照明装置の照射領域を拡張、縮小、変更する等の調整ができ、照明装置が固定されて使用される場合であっても、照射領域の調整を行える。
【００１０】
本発明に係る照明装置は、指向性のある光源を有する照明装置において、前記光源が実装された複数の基板と、前記複数の基板を収容する直管の保護筒と、前記保護筒の長手方向に沿って該保護筒の内部に設けられ、前記複数の基板が回動可能に該複数の基板の夫々が有する一辺部を保持する回動軸と、前記回動軸を中心に前記基板を回動して前記複数の基板のなす角度を変更することにより、前記光源の指向を制御して照射領域の調整を行い得る調整部とを備えてなることを特徴とする。
また、本発明に係る照明装置は、前記保護筒の長手方向の端部に口金を備え、前記調整部は、前記基板の前記口金側の端部に設けられたレバーを有し、前記レバーは、前記口金の外周面の周方向に沿って設けられた切欠部を介して突出してあり、前記切欠部に案内されて回動することを特徴とする。
【００１１】
本発明にあっては、指向性のある光源を有する照明装置であって、照射範囲が狭い場合であっても、調整部を操作することにより、光源の指向を制御して照射領域の調整を適宜行い得ることができる。
【００１２】
本発明に係る照明装置は、前記光源は、前記光源が実装された一又は複数の基板を備え、各基板は可動に設けられていることを特徴とする。
【００１３】
本発明にあっては、一又は複数の基板に前記光源を実装し、前記基板を可動に設けているので、前記基板を操作した場合、前記基板の前記光源による照射領域が変わることになる。
【００１４】
本発明に係る照明装置は、対向配置された２つの口金と、該口金に両端が固定された一又は複数の軸とを備え、前記基板は前記軸に平行であって回動可能に保持されていることを特徴とする。
【００１５】
本発明にあっては、前記光源が実装された基板を、前記軸と平行をなす状態に、前記軸に回動可能に保持し、前記基板を操作して回動させた場合は、前記基板の前記光源による照射領域が変わることになる。
【００１６】
本発明に係る照明装置は、前記基板は、長方形をなし、一方の長辺側の縁部が前記軸に保持されていることを特徴とする。
【００１７】
本発明にあっては、長方形の前記基板の両長辺側の内、何れか一方の縁部が、前記軸に回動可能に保持され、前記基板が回動される場合は、前記基板の前記光源による照射領域が変わることになる。
【００１８】
本発明に係る照明装置は、前記基板を操作する操作部材を、前記口金に設けていることを特徴とする。
【００１９】
本発明にあっては、前記基板を操作する操作部材を、照射が行われる部分でない口金に設け、照明装置の使用の際において、前記操作部材自体による照射妨害を防止すると共に、前記操作部材を操作することによる照射妨害を防止する。
【００２０】
本発明に係る照明装置は、前記基板は柔軟性を有することを特徴とする。
【００２１】
本発明にあっては、前記基板を、柔軟性を有する材料からなるように構成し、前記基板の前記光源による照射領域の変更に、一層自由度をもたらす。
【発明の効果】
【００２２】
本発明によれば、調整部の操作により、光源の照射領域が調整出来るように構成しているので、たとえ、照明装置を所定位置に固定して使用する場合においても、照射領域を、拡張、縮小、変更する等の調整を容易に行うことができる。
【発明を実施するための最良の形態】
【００２３】
以下、実施の形態において、光源としてＬＥＤを採用したＬＥＤ照明装置を例示して説明する。
【００２４】
（実施の形態１）
本発明の実施の形態１は、いわゆる直管形ＬＥＤランプであり、直管形ＬＥＤランプが天井Ｆに設置された場合を、図面を参照して説明する。図１は、本発明の実施の形態１に係る照明装置を天井Ｆに固定した場合の一部縦断面図であり、図２は、図１のＩＩ−ＩＩ線による断面図、図３は、図１のＩＩＩ−ＩＩＩ線による断面図である。
【００２５】
実施の形態１に係る照明装置は、光源である複数の白色ＬＥＤ２１，２１，２１，…を備える発光部２を有するランプ１と、白色ＬＥＤ２１，２１，２１，…を駆動する駆動部３１を備える筐体３と、ランプ１の両端を支持し、ランプ１に電源を供給するためのソケット部４Ａ，４Ｂとを備えている。
【００２６】
ランプ１は、複数の白色ＬＥＤ２１，２１，２１，…が実装された２枚の基板２２，２２を備える発光部２と、内部に発光部２を収容する保護筒１１と、保護筒１１の両端に設けられた口金１２Ａ，１２Ｂと、口金１２Ａ，１２Ｂの中央に両端が固定され、基板２２，２２が回動可能に保持する回動軸２３とを備えている。例えば、保護筒１１は乳白色のアクリル製であり、口金１２Ａ，１２Ｂはアルミニウム製である。（図２においては、理解を助けるために、基板２２，２２の一部を取り除いた状態を示している。）
【００２７】
基板２２，２２は、口金１２Ａ，１２Ｂの対向方向を長さ方向とする矩形をなしており、保護筒１１の内径より小さい幅を有している。両基板２２，２２は、長辺部が回動軸２３により回動可能に貫通されており、２枚の基板２２，２２は櫛歯状をなしている。基板２２，２２の下面には、複数の白色ＬＥＤ２１，２１，２１，…が実装されている。基板２２，２２の口金１２Ｂ側の各端部には、基板２２，２２を回動操作するためのレバー２４，２４を備えている。レバー２４，２４は、基板２２，２２の短辺と平行な方向に延設され、口金１２Ｂを介して外側に突出している。レバー２４，２４の先端にはツマミ２５，２５が設けられている。ツマミ２５，２５は、保護筒１１と平行配置された直方体形状を有し、口金１２Ｂと対向する裏面の両端部に２つの凹部２５Ａ，２５Ａを夫々備えている。凹部２５Ａ，２５Ａには、レバー２４，２４に連結されている基板２２，２２を所定位置まで回動し、所定位置に静止させるための静止ボール２５Ｂ，２５Ｂが収容されており、凹部２５Ａ，２５Ａ及び静止ボール２５Ｂ，２５Ｂの間にはコイル状のバネ２５Ｃ，２５Ｃが介在されている。静止ボール２５Ｂ，２５Ｂは、口金１２Ｂの外周面上を円周方向に摺動するように構成されており、後述の静止凹部１２２Ｂ，１２２Ｂ，１２２Ｂ，…にて静止される。レバー２４、ツマミ２５及び静止凹部１２２Ｂにより、光源の指向を制御し、照射領域の変更等の調整を行う調整部を構成する。
【００２８】
口金１２Ａ，１２Ｂは保護筒１１の端部に倣う円筒状をなしており、一端側に底を有して保護筒１１の端部を夫々覆っている。口金１２Ａ，１２Ｂは、発光部２に電源を供給するめの２つの端子ピン対５，５を夫々備えている。端子ピン対５，５は保護筒１１の内側から外側に向けて口金１２Ａ，１２Ｂの底を貫通しており、端子ピン対５，５はソケット部４Ａ，４Ｂと電気的に接続されている。
【００２９】
口金１２Ｂの外周面には、周方向に沿って長方形の切欠部１２１Ｂ，１２１Ｂが設けられており、切欠部１２１Ｂ，１２１Ｂを介してレバー２４，２４が外側へ突出している。レバー２４，２４は、切欠部１２１Ｂ，１２１Ｂに案内され、円周方向に回動する。切欠部１２１Ｂ，１２１Ｂの長さはレバー２４，２４の回動角度を１８０度以下に制限する適宜長さを有している。口金１２Ｂの外周面であって、切欠部１２１Ｂ，１２１Ｂの両長辺側の縁部には半円状の静止凹部１２２Ｂ，１２２Ｂ，１２２Ｂ，…を等間隔に設けている。
【００３０】
図４は、図３の一部を拡大した概略的拡大図である。口金１２Ｂの外周面上を摺動する静止ボール２５Ｂ，２５Ｂを備える各ツマミ２５（又はレバー２４）は、上述したように、口金１２Ｂの外周面上を周方向に回動するように構成されている。一方、静止ボール２５Ｂ，２５Ｂと、凹部２５Ａ，２５Ａとの間にはバネ２５Ｃ，２５Ｃが介在されているので、静止ボール２５Ｂ，２５Ｂはバネ２５Ｃ，２５Ｃによって常に口金１２Ｂの外周面に向けて付勢されている。なお、口金１２Ｂの外周面上には、静止凹部１２２Ｂ，１２２Ｂ，１２２Ｂ，…が、静止ボール２５Ｂ，２５Ｂの摺動経路上に、等間隔に設けられている。従って、静止ボール２５Ｂ，２５Ｂが口金１２Ｂの外周面上を摺動する際、静止凹部１２２Ｂ，１２２Ｂ，１２２Ｂ，…に嵌って静止されることとなる。つまり、使用者はツマミ２５，２５（レバー２４，２４）を操作することによって、回動軸２３を中心に基板２２，２２を回動させ、本発明の実施の形態１に係る照明装置の照射領域（ΔＷ）を調整し、必要とされる所定領域にて基板２２，２２を静止することが可能となる。再び、前記照明装置の照射領域（ΔＷ）を調整する場合は、静止ボール２５Ｂ，２５Ｂを付勢するバネ２５Ｃ，２５Ｃの付勢力以上の力をツマミ２５，２５に加え、静止ボール２５Ｂ，２５Ｂを静止凹部１２２Ｂ，１２２Ｂ，１２２Ｂ，…から引き出し、摺動させれば良い。なお、ツマミ２５，２５（レバー２４，２４）の操作が口金１２Ｂ側にて行われるので、たとえ照明装置の使用中における照射領域の操作であっても、前記照明装置の照射が邪魔されることがない。
【００３１】
以下、本発明の実施の形態１に係る照明装置の照射領域（ΔＷ）の調整例について説明する。図５は、本発明の実施の形態１に係る照明装置の設置例を示す例示図であり、図６は、照射領域（ΔＷ）の調整前における、基板２２，２２の状態を示す縦断面図、図７は、照射領域（ΔＷ）の調整後における、基板２２，２２の状態を示す縦断面図である。
【００３２】
部屋Ｒは、一つのドアＤと、窓とを備えており、ドアＤの上方の天井Ｃであって、ドアＤが設けられた側壁Ｗ付近には前記照明装置が設置されている。
【００３３】
照射領域（ΔＷ）の調整前においては、図６に示すように、２つの基板２２，２２の面方向が天井Ｃと平行に平角をなしており、基板２２，２２の下面に実装された白色ＬＥＤ２１，２１，２１，…が発する光の内、相当の割合が側壁Ｗに向かって照射されている。つまり、光の相当の割合が照射を必要としない側壁Ｗを照らしており、側壁Ｗから遠いところまで届く光の割合が少なくなり、側壁Ｗ付近に光が集中される結果となる。従って、部屋Ｒ全体においては明るさの偏中が生じることとなる。
【００３４】
一方、照射領域（ΔＷ）を調整した後においては、図７に示すように、ツマミ２５，２５（レバー２４，２４）を操作することによって、２つの基板２２，２２が鈍角をなし、基板２２，２２の下面が部屋Ｒの中央を向かうように回動操作されている。従って、白色ＬＥＤ２１，２１，２１，…が発する光の内、側壁Ｗを照らす割合を大きく低減させると共に、側壁Ｗから遠いところまで届く光の割合を大きく増加させている。つまり、照明装置の設置場所に起因する部屋Ｒ全体における明るさの偏中を緩和することが出来る。
【００３５】
本実施の形態の照明装置のように、ＬＥＤといった指向性の強い光源を用いた場合に、本発明は特に好適である。光源の指向性が強い場合には、照射領域は狭く限定されるが、調整部により、照射領域を拡張、縮小、変更する等の調整を容易に行うことができる。
【００３６】
上述の実施の形態１においては、駆動部３１を発光部２から分離して筐体３内に設けた場合について説明した例について説明したが、これに限るものでなく、基板２２，２２の上面、つまり白色ＬＥＤ２１，２１，２１，…が実装されていない面に設けるように構成しても良い。
【００３７】
上述の実施の形態１においては、回動軸２３に回動可能に保持された基板２２，２２を操作することにより、本発明に係る照明装置の照射領域を調整する場合を例として説明したが、これに限るものでない。例えば、基板２２，２２を夫々２つの回転軸に固定し、該回転軸を回動させることにより基板２２，２２を操作し、照射領域の調整を行うように構成しても良い。
【００３８】
（実施の形態２）
図８は、本発明の実施の形態２に係る照明装置のランプ１の構成を示す縦断面図であり、図９は、本発明の実施の形態２に係る照明装置の照射領域（ΔＷ）の調整例を示す例示図である。なお、実施の形態１と同一の部分については同一の符号を付してその詳細な説明を省略する。
【００３９】
本発明の実施の形態２に係る照明装置の基板２２，２２は柔軟性を有するシート状であり、口金１２Ａ，１２Ｂの対向方向を長さ方向とする矩形をなしている。また、基板２２，２２は保護筒１１の長さより少し長い長さ及び保護筒２の内径より小さい幅を有している。両基板２２，２２の何れか一方の長辺部は、口金１２Ａ，１２Ｂの底の下側縁部に両端が固定された回動軸２３により回動可能に貫通されており、２枚の基板２２，２２は櫛歯状をなしている。一方、両基板２２，２２の他方の長辺部は、支持棒２６，２６により夫々貫通されている。支持棒２６，２６は基板２２，２２より長い長さを有し、両端は夫々レバー２４，２４に回動可能に保持されている。つまり、基板２２，２２は柔軟性を有するので、回動軸２３及び支持棒２６，２６に夫々両長辺部が貫通され、少し撓んだ状態に保持されている。基板２２，２２の下面には、複数の白色ＬＥＤ２１，２１，２１，…が実装されている。
【００４０】
実施の形態２に係る照明装置は、実施の形態１に係る照明装置と異なり、両口金１２Ａ，１２Ｂに夫々２つのツマミ２５，２５を備えている。詳しくは、各基板２２，２２の他方の長辺部は、２つの支持棒２６，２６により夫々貫通されており、各支持棒２６，２６の両端は、夫々２つのレバー２４，２４に回動可能に保持されている。つまり、１つの支持棒２６当たり２つのレバー２４，２４が設けられ、該レバー２４，２４は、両口金１２Ａ，１２Ｂに設けられた２つのツマミ２５，２５に夫々連結されている。従って、２つのツマミ２５，２５の操作により、一枚の基板２２を回動させることが出来る。よって、レバー２４、ツマミ２５により、光源の指向を制御し、照射領域の変更等の調整を行う調整部を構成する。
【００４１】
実施の形態２に係る照明装置においては、照射領域（ΔＷ）の調整の際、図９に示すように、各基板２２，２２の撓み状態が変化する。従って、基板２２，２２に実装されている複数の白色ＬＥＤ２１，２１，２１，…の照射方向も個別的に変更されることとなり、照射領域（ΔＷ）内の照射における細かい調整が行われることとなる。
【００４２】
上述の実施の形態１及び実施の形態２においては、本発明に係る照明装置の照射領域（ΔＷ）の調整を手動にて行う場合を例として説明したが、これに限るものでなく、遠隔操作装置を備え、該遠隔操作装置からの信号に応じてツマミ２５，２５（レバー２４，２４）の操作が行われるように構成してもよい。
【００４３】
以上、実施の形態は、ＬＥＤを光源とする直管形ＬＥＤランプを例示して説明したが、光源はＬＥＤに限定されずに、ＥＬ等の他の光源を用いてもよい。
【図面の簡単な説明】
【００４４】
【図１】本発明の実施の形態１に係る照明装置を天井に固定した場合の一部縦断面図である。
【図２】図１のＩＩ−ＩＩ線による断面図である。
【図３】図１のＩＩＩ−ＩＩＩ線による断面図である。
【図４】図３の一部を拡大した概略的拡大図である。
【図５】本発明の実施の形態１に係る照明装置の設置例を示す例示図である。
【図６】本発明の実施の形態１に係る照明装置の照射領域（ΔＷ）の調整前における、基板の状態を示す縦断面図である。
【図７】本発明の実施の形態１に係る照明装置の照射領域（ΔＷ）の調整後における、基板の状態を示す縦断面図である。
【図８】本発明の実施の形態２に係る照明装置のランプの構成を示す縦断面図である。
【図９】本発明の実施の形態２に係る照明装置の照射領域（ΔＷ）の調整例を示す例示図である。
【符号の説明】
【００４５】
１  ランプ
２  発光部
１２Ａ，１２Ｂ  口金
２１  白色ＬＥＤ
２２  基板
２３  回動軸
２４  レバー
２５  ツマミ
【図１】
0005142616.tif 000002
【図２】
0005142616.tif 000003
【図３】
0005142616.tif 000004
【図４】
0005142616.tif 000005
【図５】
0005142616.tif 000006
【図６】
0005142616.tif 000007
【図７】
0005142616.tif 000008
【図８】
0005142616.tif 000009
【図９】
0005142616.tif 000010